(57)【特許請求の範囲】
【請求項１】
排水された水を一時貯留する一基又は複数基のバレルを、下水道管よりも低い位置に設置された排水槽であるピット内に収容し、さらに該バレル内に貯留した水を外部に排水するポンプを具備することを特徴とする悪臭防止型排水設備。
【請求項２】
前記バレルは複数基設置され、各バレルは連絡管路によって連結されていることを特徴とする請求項１記載の悪臭防止型排水設備。
【請求項３】
前記連絡管路は、優先順位の高いバレルから優先順位の低いバレルに向かって水が溜まるように連結された上部連絡管路と、優先順位の低いバレルから優先順位の高いバレルに向かって水が送られ、かつ、各バレル間を逆流防止弁を介して連結される下部連絡管路とによって構成され、
優先順位の高いバレルにポンプを設置し、
水の流入量に見合った数のバレルにだけ水を貯留せしめることを特徴とする請求項２記載の悪臭防止型排水設備。
【請求項４】
前記バレルは、前記ピット内に収納され、且つ該バレルの径を該ピットの天井壁に設けたマンホールの直径以下の寸法にすることで、該マンホールを通して該ピット内に該バレルを搬入できるように構成したことを特徴とする請求項１又は２又は３記載の悪臭防止型排水設備。
【請求項５】
排水された水を一時貯留する複数基のバレルと、該バレルを連結する連絡管路と、該バレル内に貯留した水を外部に排水するポンプとを具備することを特徴とする悪臭防止型排水設備。
【発明の詳細な説明】
【０００１】
【発明の属する技術分野】
本発明は、建築物から排出される汚水や雑排水等を一時貯留して排水する排水設備に関し、特に貯留した汚水や雑排水等の腐敗を抑制して悪臭の発生を無くすことができる悪臭防止型排水設備に関するものである。
【０００２】
【従来の技術】
従来図６に示すように、建築物１００の地階部分Ｂは公共下水道管８０よりも下に位置しているので、地階部分Ｂで生じた汚水及び雑排水等は流入管８１によってその下に設置した大きな排水槽８５に一時貯留され、その後排水槽８５内に設置した排水用のポンプ９０によって汚水ます９１に汲み上げられ、汚水ます９３を介して公共下水道管８０に排水するように構成されていた。なお建築物１００の１階以上の部分で生じる汚水等は、通常直接自然流下で汚水ます９１に排水される。
【０００３】
ところで前記ポンプ９０は排水槽８５内の水位が所定の水位になった場合や前回の運転停止から所定時間が経過した場合に運転を開始するようにしているが、ポンプ９０によって排出されないで排水槽８５の底部に残留する汚水又は雑排水が排水槽８５内に長時間あることによる腐敗の進行によって、公共下水道管８０への放流時にマンホール等から卵の腐ったような悪臭が発生し環境問題となっていた。
【０００４】
上記問題は、排水槽８５が大きすぎることにより、水槽底面の面積が大きく、残留する汚水又は雑排水量が多くなるために顕著になっている。これを改善するため図６に示す排水槽８５においては、排水槽８５の底盤８７に排水ポンプ９０に向けて下降する勾配を設けたり、ポンプ９０を設置する部分の底盤８７に凹部８９を設けたり等している。またポンプ９０の運転方法を改善して、例えばポンプオフ水位ＷＬ２までポンプ９０を運転した後、さらに所定時間の間、排水ポンプ９０の運転を継続するようにして、できるだけ残留する汚水や雑排水の量を減らすようにしている。
【０００５】
しかしながら上記のように改善しても、残留する汚水や雑排水の量は依然として多く、汚水や雑排水の腐敗進行を抑制するまでには至っていない。
【０００６】
【発明が解決しようとする課題】
本発明は上述の点に鑑みてなされたものでありその目的は、ポンプの排水運転終了時の汚水や雑排水の残留量を極力少なくすることができ、腐敗を抑制して悪臭の発生を防止できる悪臭防止型排水設備を提供することにある。
【０００７】
【課題を解決するための手段】
上記問題点を解決するため本発明にかかる悪臭防止型排水設備は、排水された水を一時貯留する一基又は複数基のバレルを、下水道管よりも低い位置に設置された排水槽であるピット内に収容し、さらに該バレル内に貯留した水を外部に排水するポンプを具備することを特徴とする。
【０００８】
また前記バレルは複数基設置され、各バレルは連絡管路によって連結されていることを特徴とする。
【０００９】
また前記連絡管路は、優先順位の高いバレルから優先順位の低いバレルに向かって水が溜まるように連結された上部連絡管路と、優先順位の低いバレルから優先順位の高いバレルに向かって水が送られ、かつ、各バレル間を逆流防止弁を介して連結される下部連絡管路とによって構成され、優先順位の高いバレルにポンプを設置し、水の流入量に見合った数のバレルにだけ水を貯留せしめることを特徴とする。
【００１０】
さらに前記バレルは、前記ピット内に収納され、且つ該バレルの径を該ピットの天井壁に設けたマンホールの直径以下の寸法にすることで、該マンホールを通して該ピット内に該バレルを搬入できるように構成したことを特徴とする。
また本発明に係る悪臭防止型排水設備は、排水された水を一時貯留する複数基のバレルと、該バレルを連結する連絡管路と、該バレル内に貯留した水を外部に排水するポンプとを具備することを特徴とする。
【００１１】
なお上記本発明にかかる悪臭防止型排水設備は、特に建築物（特にビル）の公共下水道管よりも低い位置に位置する地下部分からの排水を公共下水道管に放流するのに用いて好適である。
【００１２】
【発明の実施の形態】
以下、本発明の実施の形態を図面を参照して詳細に説明する。
図１は本発明にかかる悪臭防止型排水設備の全体構成図であり、同図（ａ）は概略平面図（同図（ｂ）に示す地階部分ＢからピットＰ側を見た図）、同図（ｂ）は概略側断面図である。また図２は図１（ｂ）に示すバレル（筒型水槽）１０−１〜３の部分を拡大して示す要部拡大図である。
【００１３】
図１に示すようにこの悪臭防止型排水設備は、建築物（例えばビル）１００の地階部分Ｂの下側に設置したピットＰ内に、複数本（この実施形態では９本）のバレル１０−１〜９を設置して構成されている。バレル１０−１〜９には流入してくる水を溜めてゆく優先順位があり、バレル１０−１が最も優先順位が高く、バレル１０−２からバレル１０−９に向かって順番に優先順位が低くなるようにしている。
【００１４】
ここでバレル１０−１には、図２に示すようにその底部にポンプ２０を設置している。バレル１０−１の底面は略円錐形状となってその中央部分が窪んでおり、この窪んだ凹部１１内にポンプ２０の吸込口が設置されている。ポンプ２０の送水管２１はバレル１０−１の上面から突出してピットＰの天井壁に設けたマンホール１５の蓋１６を貫通し、逆流防止弁１７と仕切弁１８を介して図１（ｂ）に示す汚水ます９１に接続されている。図例ではバレル１０−１の上面から突出しているが、途中（側面）から突出してもよく、またマンホール蓋１６を貫通しているが、貫通していなくてもよい。
【００１５】
また図２においてバレル１０−１の底部には水位センサ２５が設置されている。この水位センサ２５は圧力式であり、底部に設置することで現在の水位を測定することができるものである。またこのバレル１０−１には蓋１６を介してその上面側から流入管２３が挿入されている。流入管２３は地階部分Ｂにおいて発生した汚水又は雑排水をバレル１０−１内に流入するためのものである。
【００１６】
そしてバレル１０−１はバレル１０−２に、バレル１０−２はバレル１０−３に、バレル１０−９に至るまで直列に、上部連絡管路３０と下部連絡管路４０とによって連結されている。上部連絡管路３０は何れも各バレル１０−１〜９の上部の同一位置に設けられている。一方下部連絡管路４０はバレル１０−１とバレル１０−２間をつなぐ下部連絡管路４０よりもバレル１０−２とバレル１０−３をつなぐ下部連絡管路４０の設置位置を高くし、同様にバレル１０−９に至るまで順番に下部連絡管路４０の設置位置を順次高くなるように設置している。
【００１７】
各下部連絡管路４０には逆流防止弁４１が取り付けられており、バレル１０−１からみて遠い側のバレルから近い側のバレルに向かってのみ水が流れるように構成されている。そして各下部連絡管路４０が接続される上流側のバレルの底面Ｓの位置が、下部連絡管路４０の接続位置となるように、各バレル１０−１〜９の底面Ｓの高さをバレル１０−９に向かって徐々に高くなるように構成している。また各バレル１０−２〜９の底面Ｓは何れも傾斜しており、その最も低い位置に下流側の下部連絡管路４０が接続されている。また各バレル１０−２〜９の上面とピットＰの天井面との間には転倒防止装置５０が取り付けられ、バレル１０−２〜９を固定している。
【００１８】
次にこの悪臭防止型排水設備の運転方法を説明する。まず地階部分Ｂから流入管２３を介して優先順位の最も高いバレル１０−１のみに汚水又は雑排水が溜まっていく。ポンプ２０は、水位センサ２５によってバレル１０−１内の水位が所定の水位になったことを検知したとき又は前回の運転が停止してから所定時間経過したときに運転を開始して、バレル１０−１内の汚水又は雑排水を送水管２１を通して汚水ます９１に排水する。汚水ます９１に排水された汚水又は雑排水は、汚水ます９３を介して公共下水道管８０に排水されていく。そしてバレル１０−１内の汚水又は雑排水が無くなるとこれを水位センサ２５が検出し、ポンプ２０の運転を停止する。
【００１９】
以上のように汚水又は雑排水は一基のバレル１０−１内に流入・排水されて行くが、ポンプ２０によって吸い出しきれない汚水又は雑排水がバレル１０−１の底に残る。しかしながらバレル１０−１の底面積は小さいので、ここに残留する汚水又は雑排水の量は極めて少なく、汚水又は雑排水の腐敗の進行は妨げられ、悪臭はほとんど発生しない。
【００２０】
一方汚水又は雑排水の流入量がポンプ２０の排水量よりも多い場合、汚水又は雑排水はバレル１０−１内を満たした後に上部連絡管路３０によってバレル１０−１からバレル１０−２に導かれる。そしてその後汚水又は雑排水の流入量がポンプ２０の排水量よりも減ると、満杯状態のバレル１０−１内の汚水又は雑排水がポンプ２０の排水によって減り始め、バレル１０−１内の水面とバレル１０−２内の水面とが例えば図３に示すように略同一面になったら、両方の汚水又は雑排水が同時に排水されていく。
【００２１】
そして排水が進むとバレル１０−２の底面Ｓの方がバレル１０−１の底面よりも高いので、バレル１０−２内の汚水又は雑排水の方が先になくなり、最後にバレル１０−１内の汚水又は雑排水がなくなる。このときの残留水は、ポンプ２０によって吸い出しきれないバレル１０−１の底面に少量残るものと、バレル１０−２の底面Ｓに少量残るものだけであり、悪臭はほとんど発生しない。
【００２２】
同様にさらに汚水又は雑排水の流入量が多い場合は、汚水又は雑排水はバレル１０−１とバレル１０−２内を満たした後に上部連絡管路３０によってバレル１０−２からバレル１０−３に導かれる。その後汚水又は雑排水の流入量がポンプ２０の排水量よりも減ると、前記と同様に満杯状態のバレル１０−１とバレル１０−２内の汚水又は雑排水が同時にポンプ２０の排水によって減り始め、バレル１０−１，２内の水面とバレル１０−３内の水面とが略同一面になったら、全てのバレル１０−１，２，３内の汚水又は雑排水が同時に排水されていく。以下同様に各バレル１０−４〜９内にも汚水又は雑排水が導かれ、排水されていく。
【００２３】
このように本発明においては、汚水又は雑排水の量に見合った適正な数のバレルのみに汚水又は雑排水を貯留することができ、これによって残留水は貯留した数のバレル内の底面Ｓに少量残るだけであり、腐敗の量が少なく、悪臭はほとんど発生しない。
【００２４】
特に本実施形態においては、ポンプ２０を設置するバレル１０−１以外のバレル１０−２〜９の底面Ｓの位置を下流側の下部連絡管路４０の接続位置に合わせ、さらに底面Ｓを傾斜面にしたので、バレル１０−２〜９内にはほとんど残留水がなくなり、全体の残留水をさらに少なくすることができ、腐敗の進行を抑制できる。
【００２５】
なおポンプ２０を、水位センサ２５によってバレル１０−１内に水が流入してきたことを検知してから運転するように制御すれば、前回の運転が停止してから所定時間経過したときに運転を開始するように制御する場合に比べて、バレル１０−１内の汚水又は雑排水の滞留時間を短くすることができる。
【００２６】
また本実施形態に係る各バレル１０−１〜９は筒状であるが、それらの直径は何れもマンホール１５の内径よりも小さい寸法に形成されている。これによって既設建築物の排水槽をそのまま本発明のバレル１０−１〜９を収納するピットとして利用することができ、経済的に本発明の悪臭防止型排水設備に改良することができる。
【００２７】
上記実施形態の場合、優先順位の高いバレルから順番に汚水又は雑排水を貯留し、優先順位の低いバレルから順番に貯留した汚水又は雑排水がなくなるように構成したので、優先順位の低いバレル内の汚水又は雑排水をより速くなくすことができ、より速く悪臭の発生を防ぐことができる。
【００２８】
図４は本発明の他の実施形態に係る悪臭防止型排水設備の要部拡大図（図２と同一部分を示している）である。同図において前記実施形態と同一又は相当部分には同一符号を付す。この悪臭防止型排水設備において、前記悪臭防止型排水設備と相違する点は、下部連絡管路４０の設置位置を、何れもバレル１０−２〜９（図では１０−２と１０−３のみ示す）の下部の略同一位置に設けた点である。なおその場合各バレル１０−２〜９の底面Ｓの位置は略同一になるが、これら底面Ｓをバレル１０−１の底面よりも少し高い位置にしておくことで、バレル１０−１への汚水又は雑排水の流入をスムーズにしている。
【００２９】
このように構成すれば、バレル１０−２〜９からの排水が終了するのは同時となる。また貯留できる汚水又は雑排水の量は、各バレル１０−２〜９の底面Ｓが低い分だけ前記実施形態よりも多くすることができる。
【００３０】
また上記各実施形態では各上部連絡管路３０の設置位置を何れも同一にしたが、必要に応じて図４に点線で示すように各バレル毎にその設置高さを変更しても良い。また図５に示すように、ポンプ２０を設置したバレル１０−１に対して複数のバレル１０−２，３を上部連絡管路３０と下部連絡管路４０とで接続しても良い。図５に示す実施形態の場合、最も優先順位の高いのはバレル１０−１で、次に上部連結管路４０の接続位置の低いバレル１０−２で、次にバレル１０−３である。
【００３１】
また図示はしないがポンプを設置しないバレルに対して図５に示すように複数のバレルを接続しても良い。即ち各バレルは直列に接続する場合に限られず、並列又は直並列に接続しても良い。また上部連絡管路３０の設置高さと下部連絡管路４０の設置高さの両者を必要に応じて種々の高さに変更しても良い。
【００３２】
また図５に示すバレル１０−２，３の底面Ｓのように、底面Ｓの形状をすり鉢状に凹ませてその中央に下部連絡管路４０を接続しても良い。
【００３３】
また上記各実施形態では複数のバレル１０−１〜９の内の一台のバレル１０−１のみにポンプ２０を設置したが、他のバレル１０−２〜９の内の何れかにさらにポンプを設置しても良い。また上記実施形態では９個のバレル１０−１〜９を設置したが、必要に応じてそれ以外の数だけ設置しても良く、また場合によっては一つのバレル１０−１のみを設置することによって悪臭防止型排水設備を構成しても良い。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態ではバレルの形状として円筒形状のものを用いたが、本発明はこの形状に限定されず、他の各種多角筒形状のものやその他の各種形状の容器で構成しても良い。
【００３５】
【発明の効果】
以上詳細に説明したように本発明によれば以下のような優れた効果を有する。
▲１▼汚水や雑排水等からなる水を一時貯留する一基又は複数基のバレルと、バレル内に貯留した水を外部に排水するポンプとを具備して悪臭防止型排水設備を構成したので、汚水や雑排水が残留するのはバレルの底部だけであり、従来のように排水槽全体の底面に残留することはなく、悪臭の発生源である汚水や雑排水の底面残留量及び滞留時間を少なくでき、腐敗の進行を抑制でき、悪臭の発生による環境問題を防止できる。
【００３６】
▲２▼複数のバレル間を上部連絡管路と下部連絡管路とによって連結した場合は、水の流入量に見合った数のバレルにだけ水を貯留せしめることができ、汚水や雑排水の底面残留量及び滞留時間を効果的に少なくでき、腐敗の進行を抑制できる。
【００３７】
▲３▼バレルの径をバレルを収納するピットの天井壁に設けたマンホールの直径以下の寸法にしたので、既設建築物の排水槽をバレルを収納するピットとして容易に使用でき、経済的に本発明の悪臭防止型排水設備に改良することができる。
【図面の簡単な説明】
【図１】本発明にかかる悪臭防止型排水設備の全体構成図であり、同図（ａ）は概略平面図（同図（ｂ）に示す地階部分ＢからピットＰ側を見た図）、同図（ｂ）は概略側断面図である。
【図２】図１（ｂ）に示すバレル１０−１〜３の部分を拡大して示す要部拡大図である。
【図３】悪臭防止型排水設備の動作説明図である。
【図４】本発明の他の実施形態に係る悪臭防止型排水設備の要部拡大図（図２と同一部分を示している）である。
【図５】本発明の他の実施形態に係る悪臭防止型排水設備の要部拡大図（図２と同一部分を示している）である。
【図６】従来の排水設備の一例を示す図であり、同図（ａ）は概略平面図（同図（ｂ）に示す地階部分ＢからピットＰ側を見た図）、同図（ｂ）は概略側断面図である。
【符号の説明】
Ｂ  地階部分
Ｐ  ピット
１００  建築物
１０−１〜９  バレル
Ｓ  底面
１５  マンホール
１６  蓋
１７  逆流防止弁
１８  仕切弁
２０  ポンプ
２１  送水管
２３  流入管
２５  水位センサ
３０  上部連絡管路（連絡管路）
４０  下部連絡管路（連絡管路）
４１  逆流防止弁
５０  転倒防止装置
８０  公共下水道管
９１，９３  汚水ます
【図１】
0004455742.tif 000002
【図２】
0004455742.tif 000003
【図３】
0004455742.tif 000004
【図４】
0004455742.tif 000005
【図５】
0004455742.tif 000006
【図６】
0004455742.tif 000007